(57)【特許請求の範囲】
【請求項１】
底片と両側の側片とで平面から見て略コ字状になる取り付け金具を外壁本体の外面側に装着し、取り付け金具から水平方向に突出するように突設した突片の上下に上係止片と下係止片とを設け、外壁本体の外面側に通気隙間を介して複数枚の外装材を上下に並べ、上下に隣り合う外装材間で上に位置する外装材の下部の裏面を取り付け金具の両側の側片の前端縁に沿わせると共にこの外装材の下端を上係止片に係止し、上下に隣り合う外装材間で下に位置する外装材の上部の裏面を取り付け金具の両側の側片の前端縁に沿わせると共にこの外装材の上端を下係止片に係止し、取り付け金具の両側の側片の前端縁に上記突片より下方の位置で前方に突出するずれ止め突起を突設すると共に上記の下に位置する外装材の上部の裏面にずれ止め突起を食い込ませて成り、前記取り付け金具の突片は上記底片から切り起こすことで形成し、取り付け金具の両側の側片の前端縁に下がり止め突起を設けると共に突片を上記下がり止め突起に係止して成ることを特徴とする外装材の取り付け構造。
【請求項２】
取り付け金具の両側の側片の上縁を前に行く程下がる傾斜を有するようにしたことを特徴とする請求項１記載の外装材の取り付け構造。
【請求項３】
取り付け金具の底片に取り付け金具を外壁本体に固定するときビス等の固着具を打入する固着用孔を設け、この固着用孔の部分を前面側に突曲させて固着具を斜め下方に向けて打入し得るようにしたことを特徴とする請求項１または請求項２記載の外装材の取り付け構造。
【請求項４】
取り付け金具の底片の下端を前方に突出するように曲げたことを特徴とする請求項１乃至請求項３のいずれかに記載の外装材の取り付け構造。
【発明の詳細な説明】
【０００１】
【発明の属する技術分野】
本発明は、外壁の外面側に外装材を取り付ける構造に関し、詳しくは外装材の裏面側に通気隙間を形成するように外装材を取り付ける構造に関するものである。
【０００２】
【従来の技術】
従来、外壁本体の外面側に通気隙間を介して外装材を取り付ける場合、図９のような構造を採用していた。取り付け金具１は底片２と両側の側片３とで平面から見て略コ字状に形成されており、底片２の上下方向の略中央から前方に向けて水平に突出するように突片４を突設してあり、突片４の先端には上係止片５と下係止片６を折曲形成してある。外装材７の下部の裏面側に凹部８を設けてあると共に凹部８の表面側に下方に突出する突出部９を設けてあり、凹部８の上の隅部に係止溝１０を形成してある。外装材７の上部の裏面側には上記凹部８に嵌合し得る突片部１１を設けてあり、突片部１１の下部の表面側には段部１２を設けてある。外壁本体１２は縦胴縁間にグラスウールのような断熱材を充填し、外面側に通気性防水シートを貼って形成されている。
【０００３】
外壁本体１２の外面側には通気隙間Ｓを介して複数枚の外装材７が上下方向に並べられ、上下に隣り合う外装材７間では上に位置する外装材７の下部の凹部８に下に位置する外装材７の上部の突片部９を嵌合するように接続されるのであるが、上下に隣り合う外装材７を接続する部分では上記外装材７が外壁本体１２に次のように取り付けられている。外壁本体１２の外面側には上記取り付け金具１を沿わせて配置され、ビス等の固着具の打入にて取り付け金具１が外壁本体１２の外面に取り付けられる。上下に隣り合う外装材７を接続する部分では外装材７の裏面が取り付け金具１の両側の側片３の前端縁に沿わせられて外装材７の裏面と外壁本体１の外面との間に通気隙間Ｓが形成され、上に位置する外装材７の下部の係止溝１０に上係止片５が係止され、下に位置する外装材７の上部の突片部１１に下係止片６が係止される。
【０００４】
実際の施工では下に位置する外装材７の上部に取り付け金具１が配置され、下係止片６と側片３の前端縁との間に突片部９が挿入されるように取り付け金具１が下に位置する外装材７の上部に被せられ、この状態でビス等の固着具を打入して取り付け金具１が外壁本体１２に固定され、次いで上に位置する外装材７の下部が取り付け金具１を介して下に位置する外装材７の上端上に被せられ、係止溝１０に上係止片５が係止される。
【０００５】
【発明が解決しようとする課題】
ところで、上記従来例では下に位置する外装材７の上部に取り付け金具１を被せた状態で取り付け金具１を外壁本体１２に固着具にて固定するが、このとき下係止片６と側片３の前端縁との間に突片部９が挿入された状態になっているだけであるために取り付け金具１が水平方向にずれたり上下方向にずれたりしやすくて取り付け金具１を所定位置に固定できないという問題があり、外装材７の取り付けが安定しないという問題がある。
【０００６】
本発明は叙述の点に鑑みてなされたものであって、外装材の裏面にずれ止め突起を食い込ませることによりずれないように位置決めでき、取り付け金具を所定位置に取り付けて外装材を安定よく取り付けることができる外装材の取り付け構造を提供することを課題とする。
【０００７】
【課題を解決するための手段】
上記課題を解決するため本発明の外装材の取り付け構造は、底片２と両側の側片３とで平面から見て略コ字状になる取り付け金具１を外壁本体１２の外面側に装着し、取り付け金具１から水平方向に突出するように突設した突片４の上下に上係止片５と下係止片６とを設け、外壁本体１２の外面側に通気隙間Ｓを介して複数枚の外装材７を上下に並べ、上下に隣り合う外装材７間で上に位置する外装材７の下部の裏面を取り付け金具１の両側の側片３の前端縁に沿わせると共にこの外装材７の下端を上係止片５に係止し、上下に隣り合う外装材７間で下に位置する外装材７の上部の裏面を取り付け金具１の両側の側片３の前端縁に沿わせると共にこの外装材７の上端を下係止片６に係止し、取り付け金具１の両側の側片３の前端縁に上記突片４より下方の位置で前方に突出するずれ止め突起１５を突設すると共に上記の下に位置する外装材７の上部の裏面にずれ止め突起１５を食い込ませて成ることを特徴とする。下に位置する外装材７の裏面にずれ止め突起１５を食い込ませることにより下の外装材７に対して取り付け金具１がずれないように位置決めでき、取り付け金具１を所定位置に位置決めして外壁本体１２に取り付けることができて外装材７を安定よく取り付けることができる。
【０００８】
また取り付け金具１の突片４を上記底片２から切り起こすことで形成し、取り付け金具１の両側の側片３の前端縁に下がり止め突起１６を設けると共に突片４を上記下がり止め突起１６に係止して成ることを特徴とする。上係止片５や下係止片６を設けるための突片４を切り起こしで形成してあっても突片４が下がり止め突起１６に係止することで外装材７の荷重で突片４が下に下がるのを防止できるものであって、外装材７を所定位置に安定よく取り付けることができる。
【０００９】
また取り付け金具１の両側の側片３の上縁を前に行く程下がる傾斜を有するようにしたことを特徴とすることも好ましい。外装材７の下端を取り付け金具１の上係止片５に係止するために上から載せるとき側片３の上縁の傾斜にてガイドして外装材７をスムーズに載せることができると共に外装材７が傷付くのを防止できる。
【００１０】
また取り付け金具１の底片２に取り付け金具１を外壁本体１２に固定するときビス等の固着具１８を打入する固着用孔１９を設け、この固着用孔１９の部分を前面側に突曲させて固着具１８を斜め下方に向けて打入し得るようにしたことを特徴とすることも好ましい。固着具１８を打入して外装材７を取り付けるとき取り付け金具１を下に押し下げるように固定できて取り付け金具１にて外装材７が締まるように取り付けることができる。
【００１１】
また取り付け金具１の底片２の下端を前方に突出するように曲げたことを特徴とすることも好ましい。外壁本体１２の外面に通気性防水シート２０が貼られても、取り付け金具１を取り付けるとき、底片２の下端が通気性防水シート２０に引っ掛かって通気性防水シート２０を破ったりするおそれがない。
【００１２】
【発明の実施の形態】
先ず、図１及び図２に示す参考例から述べる。取り付け金具１は図２に示すように金属板を板金加工することで形成されるものであって、底片２と底片２の両側から底片２に対して垂直に立設した側片３とで平面から見て略コ字状になるように形成されている。側片３の前端縁には断面略円弧状になるように折り返した端縁３ａが設けられている。取り付け金具１の底片２の上下方向の略中央には前方に突出するように突片４が突設してあり、突片４には補強リブ２１を設けてある。この突片４は底片２を切り起こすことで形成されており、両側の側片３間の幅方向に亙るように突設してある。突片４の先端には突片４の幅方向の中央の位置で斜め上方に突出する上係止片５を折曲形成してあり、突片４の先端には突片４の幅方向の両側の位置で下方に突出する下係止片６を折曲形成してある。底片２の上部には断面円弧状の凸曲部２２を幅方向の全長に亙るように設けてあり、この凸曲部２２にはビス、釘等の固着具１８を打入するための固着用孔１９を貫通するように穿孔してある。また底片２の下部にも断面円弧状の凸曲部２３を幅方向の全長に亙るように設けてある。また両側の側片３の前端縁である端縁３ａには突片４より下方の位置で前方に突出するずれ止め突起１５を突設してある。
【００１３】
外装材７は窯業系材料にて形成されており、外装材７の下部の裏面側に凹部８を設けてあると共に凹部８の表面側に下方に突出する突出部９を設けてあり、凹部８の上の隅部に係止溝１０を形成してある。外装材７の上部の裏面側には上記凹部８に嵌合し得る突片部１１を設けてあり、突片部１１の下部の表面側には段部１２を設けてある。外壁本体１２は縦胴縁間にグラスウールのような断熱材を充填し、外面側に通気性防水シート２０を貼って形成されている。
【００１４】
外壁本体１２の外面側には通気隙間Ｓを介して複数枚の外装材７が上下方向に並べられ、上下に隣り合う外装材７間では上に位置する外装材７の下部の凹部８に下に位置する外装材７の上部の突片部９を嵌合するように接続されるのであるが、上下に隣り合う外装材７を接続する部分では上記外装材７が外壁本体１２に次のように取り付けられている。図１に示すように外壁本体１２の外面側には上記取り付け金具１を沿わせて配置され、ビス等の固着具１８の打入にて取り付け金具１が外壁本体１２の外面に取り付けられる。上下に隣り合う外装材７を接続する部分では外装材７の裏面が取り付け金具１の両側の側片３の前端縁である端縁３ａに沿わせられて外装材７の裏面と外壁本体１２の外面との間に通気隙間Ｓが形成され、上に位置する外装材７の下部の係止溝１０に上係止片５が係止され、下に位置する外装材７の上部の突片部１１に下係止片６が係止される。下に位置する外装材７の上部の裏面が取り付け金具１の両側の側片３の前端縁である端縁３ａに沿わせられるが、このときずれ止め突起１５が外装材７の裏面に食い込んでずれ止めされる。
【００１５】
実際の施工では下に位置する外装材７の上部に取り付け金具１が配置され、下係止片６と側片３の端縁３ａとの間に突片部９が挿入されるように取り付け金具１が下に位置する外装材７の上部に被せられ、この状態でビス等の固着具１８を打入して取り付け金具１が外壁本体１２に固定され、次いで上に位置する外装材７の下部が取り付け金具１を介して下の位置する外装材７の上端上に被せられ、係止溝１０に上係止片５が係止される。下係止片６と側片３の端縁３ａとの間に突片部９が挿入されるように取り付け金具１が下に位置する外装材７の上部に被せられたとき、下に位置する外装材７の裏面にずれ止め突起１５が食い込む。このために取り付け金具１が上下左右にずれるのが防止され、取り付け金具１を所定位置に位置決めして固着具１８で固着でき、取り付け金具１を所定位置に位置決めして取り付けることにより、外装材７を確実且つ安定よく取り付けることができる。また外装材７の裏面にずれ止め突起１５が食い込むことにより外装材７が外装材７の厚み方向にがたついたりしないように取り付けることができる。
【００１６】
次に図３乃至図５に示す参考例について述べる。本例も上記例と基本的に同じであり、異なる点だけを主に述べる。取り付け金具１に上記例と同様に突片４、上係止片５、下係止片６、ずれ止め突起１５等を設けてある。取り付け金具１の底片２の上部には断面円弧状の凸曲部２２を幅方向の全長に亙るように設けてあり、この凸曲部２２にはビス、釘等の固着具１８を打入するための固着用孔１９を貫通するように穿孔してあるが、本例の場合、凸曲部２２の上下方向の中心位置より上方に偏らせて固着用孔１９を穿孔してある。この凸曲部２２には凸曲部２２を補強する補強リブ２５を設けてある。また底片２の下部にも断面円弧状の凸曲部２３を幅方向の全長に亙るように設けてあるが、この凸曲部２３の下方で底片２の下端には前方に向けて屈曲する屈曲部２４を設けてある。
【００１７】
外装材７を外壁本体１２の外面側に貼るときは上記例と同様に施工される。下係止片６と側片３の前端縁である端縁３ａとの突片部９が挿入されるように取り付け金具１が下に位置する外装材７の上部に被せられた状態で固着具１８を固着用孔１９から外壁本体１２に打入することで取り付け金具１が外壁本体１２に固定されるのであるが、このとき断面円弧状の凸曲部２２の上部に偏った位置に固着用孔１９を設けてあるために図４に示すように斜め下方に向けて固着具１８を打入することができ、取り付け金具１を下方に向けて押し下げることができて取り付け金具１にて外装材７が締まるように取り付けることができる。また取り付け金具１の底片２の下端に屈曲部２５を設けてあるため、係止片６と側片３の端縁３ａとの間に突片部９が挿入されるように取り付け金具１が下に位置する外装材７の上部に被せられるとき、底片１の下端が通気性防水シート２０に引っ掛かるのを防止でき、通気性防水シート２０が破れたりするのを防止できる。
【００１８】
次に図６、図７に示す実施の形態の例について述べる。本例も上記例と基本的に同じであり、異なる点だけを主に述べる。この例の場合も図７に示すような取り付け金具１を用いて上記と同様に施工されるものであり、図６に示すように  施工される。取り付け金具１の底片２には底片２を切り起こすことにより突片４が形成されるが、本例の場合、底片２だけでなく側片３の一部も切り起こして突片４を形成してある。これにより突片４の幅方向の両端に側片３の端縁の前方まで延びる延出片２６を形成してある。また側片３の端縁３ａには上記突片４と略同じレベルで前方に突出する下がり止め突起１６を突設してあり、上記延出片２６が下がり止め突起１６の上に引っ掛かって係止している。これにより切り起こしで形成した突片４でも下方に変形するのを防止でき、外装材７を施工したとき外装材７の荷重がかかって変形したりせず、外装材７を安定よく取り付け施工できる。また取り付け金具１の両側の側片３の上縁には前方に向けて斜め下方に下がる傾斜縁２７を設けてある。このようにすると外装材７の下端を取り付け金具１の上係止片５に係止するために上から載せるとき側片３の傾斜縁２７にてガイドして外装材７をスムーズに載せることができると共に外装材７が傷付くのを防止できる。
【００１９】
次に図８に示す実施の形態の例について述べる。本例も上記例と基本的に同じあり、異なる点だけを主に述べる。この例の取り付け金具１は図７の取り付け金具１と基本的に同じ構造であるが、側片３の上縁に傾斜縁２７を設ける代わりに円弧状の弧状縁２８を設けてある。このようにした場合も、外装材７の下端を取り付け金具１の上係止片５に係止するために上から載せるとき側片３の弧状縁２８にてガイドして外装材７をスムーズに載せることができると共に外装材７が傷付くのを防止できる。
【００２０】
【発明の効果】
本発明の請求項１の発明は、取り付け金具の両側の側片の前端縁に突片より下方の位置で前方に突出するずれ止め突起を突設すると共に下に位置する外装材の上部の裏面にずれ止め突起を食い込ませているので、下に位置する外装材の裏面にずれ止め突起を食い込ませることにより下に位置する外装材に対して取り付け金具がずれないように位置決めでき、取り付け金具を所定位置に位置決めして外壁本体に取り付けることができて外装材を安定よく取り付けることができるものである。
【００２１】
また、取り付け金具の突片を上記底片から切り起こすことで形成し、取り付け金具の両側の側片の前端縁に下がり止め突起を設けると共に突片を上記下がり止め突起に係止しているので、上係止片や下係止片を設けるための突片を切り起こしで形成してあっても突片が下がり止め突起に係止することで外装材の荷重で突片が下に下がるのを防止できるものであって、外装材を所定位置に安定よく取り付けることができるものである。
【００２２】
また本発明の請求項２の発明は、請求項１において、取り付け金具の両側の側片の上縁を前に行く程下がる傾斜を有するようにしたので、外装材の下端を取り付け金具の上係止片に係止するために上から載せるとき側片の上縁の傾斜にてガイドして外装材をスムーズに載せることができると共に外装材が傷付くのを防止できるものである。
【００２３】
また本発明の請求項３の発明は、請求項１又は請求項２において、取り付け金具の底片に取り付け金具を外壁本体に固定するときビス等の固着具を打入する固着用孔を設け、この固着用孔の部分を前面側に突曲させて固着具を斜め下方に向けて打入し得るようにしたので、固着具を打入して外装材を取り付けるとき取り付け金具を下に押し下げるように固定できて取り付け金具にて外装材が締まるように取り付けることができるものである。
【００２４】
また本発明の請求項４の発明は、請求項１乃至請求項３において、取り付け金具の底片の下端を前方に突出するように曲げたので、外壁本体の外面に通気性防水シートが貼られても、取り付け金具を取り付けるとき、底片の下端が通気性防水シートに引っ掛かって通気性防水シートを破ったりするおそれがないものである。
【図面の簡単な説明】
【図１】  本発明の参考例の一例の外装材の取り付け状態の断面図である。
【図２】同上の取り付け金具を示し、（ａ）は正面図、（ｂ）は側面図、（ｃ）は底面図である。
【図３】同上の他の例の取り付け金具を示し、（ａ）は正面図、（ｂ）は側面図、（ｃ）は底面図である。
【図４】同上の固着具を打入する状態を説明する断面図である。
【図５】同上の取り付け金具の底片の下端の部分を拡大せる断面図である。
【図６】  本発明の実施の形態の一例の外装材の取り付け状態を示す断面図である。
【図７】同上の取り付け金具を示し、（ａ）は正面図、（ｂ）は側面図、（ｃ）は底面図である。
【図８】同上の他の例の取り付け金具を示し、（ａ）は正面図、（ｂ）は側面図、（ｃ）は底面図である。
【図９】（ａ）は従来例の外装材の取り付け状態の断面図、（ｂ）は取り付け金具の正面図である。
【符号の説明】
１  取り付け金具
２  底片
３  側片
４  突片
５  上係止片
６  下係止片
１２  外壁本体
１５  ずれ止め突起
Ｓ  通気隙間
【図１】
0003694447.tif 000002
【図２】
0003694447.tif 000003
【図３】
0003694447.tif 000004
【図４】
0003694447.tif 000005
【図５】
0003694447.tif 000006
【図６】
0003694447.tif 000007
【図７】
0003694447.tif 000008
【図８】
0003694447.tif 000009
【図９】
0003694447.tif 000010